(57)【要約】【課題】本発明は資源化すべき廃棄物の品質を利用者が確認しながらオークション可能で、かつ容易にシステムの構築が可能な廃棄物リサイクル方法を提供しようとするものである。【解決手段】本発明は以上のような課題を解決するため、廃棄物の種類や品質などを示す認証データを保有するデータベースと、データベース中の認証データに対応した廃棄物が保管場所に集積中であった場合は、その集積場所を撮影するビデオカメラを参加者が操作可能にするとともに、その画像データと認証データとを関連付け、データベース中の認証データに対応した廃棄物が保管場所に集積完了した場合はビデオカメラで撮影した画像データを認証データに関連付けてデータベースに保管するようにしたもので、これによって廃棄物の品質を顧客が確認した上で、購入あるいはオークションすることが可能となり、品質の保証が可能になるようにした。【選択図】  図１
2006195760.tif 000002
【特許請求の範囲】
【請求項１】
廃棄物の種類や品質などを示す認証データを複数保有するデータベースと、前記データベース中のデータを検索し特定のものを抽出する検索エンジンを有し、前記データベース中の認証データに対応した廃棄物が保管場所に集積中であった場合は、その集積場所を撮影するビデオカメラの画像データと認証データとを関連付けるとともに遠隔地から前記ビデオカメラを操作できるよう遠隔地からの操作信号を受けてビデオカメラを動かす操作部を有し、前記データベース中の認証データに対応した廃棄物が保管場所に集積完了した場合は前記ビデオカメラで撮影した画像データを前記認証データに関連付けて前記データベースに保管するようにした廃棄物リサイクル方法。
【請求項２】
外部からのデータベースへのアクセスに対し、外部から送られたパスワードが一致した場合のみデータベースへのアクセスを許可するようにした請求項１記載の廃棄物リサイクル方法。
【請求項３】
データベース上の廃棄物データに対し、インターネット・オークション可能にした請求項２記載の廃棄物リサイクル方法。
【発明の詳細な説明】
【技術分野】
【０００１】
本発明は、たとえばインターネットなどの通信回線を用いてオークション形式で廃棄物をリサイクルする廃棄物リサイクル方法に関するもので、特に対象となる廃棄物の内容を確認しながら入札可能な方法を提供するものである。
【背景技術】
【０００２】
廃棄物の量は世界的に増加傾向にありながら、環境に負荷を与えない廃棄物リサイクル方法が中々開発されていない。一方で資源の枯渇も懸念される。このため出きる限り廃棄物を資源としてリサイクルすることが望ましい。
【０００３】
一方、インターネットの急速な普及に伴い、情報の共有化が容易になって来た。このため、再資源化価値のある廃棄物を、インターネットを用いてオークションに掛ける技術が提案されている。
【０００４】
このような技術はインターネットの特徴である公開性つまり誰でも情報にアクセスが可能である点や、システムを構築するためのコストが安価であるなど廃棄物のリサイクルに適したものである。
【０００５】
一方、廃棄物のリサイクルを行う場合に大きな問題となるのがリサイクル対象となる廃棄物の品質の担保である。例えば、砕片化された鉄として購入したものの中に砂利や木片などの建築廃材が混入している場合など、現物を確認せずに行うインターネット・オークションでは大きな問題となる。
【０００６】
このような問題点に着目して開発された廃棄物リサイクル方法として例えば特許文献１に開示されたものがある。
【特許文献１】特開２００１−２９０９６２号公報
【０００７】
この文献に開示されたものは、動画像データなどによって資源物（リサイクル対象の廃棄物）を保証した上でインターネットを通じて販売できるようにしたもので、これによって廃棄物の品質がある程度担保される。
【発明の開示】
【発明が解決しようとする課題】
【０００８】
特許文献１に開示されたものは、再資源物である廃棄物に関する情報に、その廃棄物の動画データを添付することによって廃棄物の状態を保証しようとするものである。これによって廃棄物の状態の担保はかなり高まると考えられる。
【０００９】
しかし特許文献１に記載のものは、廃棄物に関する情報に添付される動画データの信憑性が必ずしも確保されているものではないという問題がある。つまり、他の廃棄物の動画のデータが添付されている可能性を否定できない。
【００１０】
本発明は資源化すべき廃棄物の品質を利用者が確認しながらオークション可能で、かつ容易にシステムの構築が可能な廃棄物リサイクル方法を提供しようとするものである。
【課題を解決するための手段】
【００１１】
本件発明は以上のような課題を解決するため、廃棄物の種類や品質などを示す認証データを保有するデータベースと、データベース中の認証データに対応した廃棄物が保管場所に集積中であった場合は、その集積場所を撮影するビデオカメラを参加者が操作可能にするとともに、その画像データと認証データとを関連付け、データベース中の認証データに対応した廃棄物が保管場所に集積完了した場合はビデオカメラで撮影した画像データを認証データに関連付けてデータベースに保管するようにした。
【発明の効果】
【００１２】
本発明の廃棄物リサイクル方法は上記の如く構成したので、特定の廃棄物を検索し、その廃棄物が保管場所に集積中であった場合は集積中の状態を示す動画を、カメラを操作しながら見ることができる。これによって、参加者は画像データが他の廃棄物のデータでないことを確認しながら廃棄物中に異物が混入していないかチェックすることができ、画像の信憑性がより高くなる。
【００１３】
つまり、集積中に顧客がインターネット回線を介してカメラを例えば左右に振ったり、ズームできるようにすることによって、別な場所で撮影されたものや過去に撮影された動画でないことが明確になる。
【００１４】
また集積が完了していた場合には、集積中の動画を遡って見ることができる。この場合に、その動画の信憑性が問題となるが、全ての廃棄物の集積中の動画インターネットを介して公開した後に蓄積するようにすると、集積中に誰かが既に廃棄物のチェックを行っている可能性があり、廃棄物の集積を管理する者が動画や静止画などのデータを改竄することが困難となり、蓄積した動画の信憑性を担保することができる。
【００１５】
このように廃棄物の品質を顧客が確認した上で、購入あるいはオークションすることが可能となり、品質の保証が可能な廃棄物リサイクル方法を提供することができる。
【発明を実施するための最良の形態】
【００１６】
本発明の請求項１に記載の発明は、廃棄物の種類や品質などを示す認証データを複数保有するデータベースと、データベース中のデータを検索し特定のものを抽出する検索エンジンを有し、データベース中の認証データに対応した廃棄物が保管場所に集積中であった場合は、その集積場所を撮影するビデオカメラの画像データと認証データとを関連付けるとともにビデオカメラを遠隔地から操作可能にし、データベース中の認証データに対応した廃棄物が保管場所に集積完了した場合はビデオカメラで撮影した画像データを認証データに関連付けてデータベースに保管するようにしたため、廃棄物の種類や品質などを示す認証データと関連付けて、集積中の廃棄物の画像を見ることができるという作用を有する。
【実施例１】
【００１７】
以下本発明の廃棄物リサイクル方法の実施例について図に沿って詳細に説明する。先ず、図１は本発明のシステム構成を示すブロック図である。図１においてホストサーバー１はハブ２に接続され、ルータ３を介してインターネット網４に接続されている。
【００１８】
ハブ２にはディジタル画像データを出力するビデオカメラ５が接続されている。ここでは便宜上１台のビデオカメラ５のみを図示しているが、ハブ２には複数台のビデオカメラが接続されている。
【００１９】
ビデオカメラ５は、ベルトコンベア７によって運ばれて来る廃棄物８の画像を撮影する。廃棄物８はベルトコンベア７から落ちて、廃棄物の山９を形成する。ビデオカメラ５はサーバー１からハブ２を介して送られた制御信号によってズームや首振り動作（パン）をする。
【００２０】
各ユーザ端末（パーソナル・コンピュータ）１０はインターネット網４を介してルータ３に接続され、ルータ３を介してハブ２に接続されたビデオカメラ５の操作を行い、あるいはサーバー１に接続されたストレージ１１内のデータを読み出す。
【００２１】
なお、ホストサーバー１は多くの動画や静止画のデータを格納するのに十分な容量のストレージ１１を有している。ホストサーバー１の動作を以下図２のフローチャートに沿って説明する。
【００２２】
先ず、ステップ１で外部からのアクセスが入るのを待つ。つまり各ユーザ端末１０からのアクセスがあるまで待機状態となり、アクセスがあると各ユーザ端末１０にパスワードの入力を促し、パスワードが一致した場合のみ次のステップへ進む。このパスワードの照合方法は、既に多くの文献で公知であるので説明を省略する。
【００２３】
ステップ２で各ユーザ端末１０から送られる検索条件に従って、検索エンジンを用いてストレージ１１に格納されているデータを検索する。ここで検索エンジンはホストサーバー１内の検索ソフトウェアであり、既に多く市販されているので、詳細な説明は省略する。
【００２４】
上記の検索条件に合致した廃棄物８がベルトコンベア７から送られて来る集積中の状態であるか否かステップ３で判断する。集積中の状態であった場合はステップ４へ進み、前もってストレージ１１に格納されているデータ即ち集積中の廃棄物の状態を表す情報、例えば鉄であるかアルミニウムなどであるか、あるいは鉄であっても自動車のシュレッダ物であるなどの材質を示す情報と、例えば公的機関などの第３者の認定を示す認定書の画像等の情報等とをリンクする。
【００２５】
次にステップ５へ進み、ユーザ端末１０からビデオカメラ５の操作を待つ。ここでビデオカメラ５がユーザ端末１０からインターネット網４を介し操作された場合は、ステップ６でユーザ端末１０からの指示によってビデオカメラ５をズーム動作させたり、左右に振る動作をさせる。
【００２６】
ステップ７でビデオカメラ５からの画像データをストレージ１１に蓄積するとともに、ビデオカメラ５の画像データをユーザ端末１０に送る。この時に上記の廃棄物の状態を示す情報とビデオカメラ５からの画像データとをリンクさせた状態で蓄積する。つまり廃棄物の状態を示す情報の格納場所を示すアドレスとビデオカメラ５からの画像データを格納した場所を示すアドレスとを関連付けてストレージ１１に格納する。そしてこの操作が終了すると、一連の動作を終了する。
【００２７】
またステップ３で廃棄物８が集積を完了した状態であった場合は、ステップ８へ進み、ユーザ端末１０からインターネット網４を介しデータ検索があるまで待機する。そしてユーザ端末１０からデータ検索の操作がなされた場合は、ステップ９へ進む。
【００２８】
ステップ９で、上記検索条件に従ってストレージ１１に格納されたデータ即ち上記の廃棄物の状態を示す情報とビデオカメラ５からの画像データを検索エンジンを用いて検索し、ストレージ１１から読み出し、インターネット網４を介しユーザ端末１０へ送る。そしてデータの送信が終了すると一連の動作を終了する。
【００２９】
このようにして図２の流れ図に示す処理によって各ユーザ端末１０を操作している人が廃棄物８の状態を確認することができる。各ユーザ端末１０を操作している人は廃棄物８の状態を確認した上で、オークションに参加することができる。以下図３の流れ図に従ってオークションの処理について説明する。
【００３０】
先ずステップ１０で外部からのアクセスが入るのを待つ。つまり各ユーザ端末１０からのアクセスがあるまで待機状態となり、アクセスがあると各ユーザ端末１０にパスワードの入力を促し、パスワードが一致した場合のみ次のステップへ進む。
【００３１】
ステップ１１で各ユーザ端末１０からオークションに参加する意思があるか否かを示す信号を待ち、その信号がオークションに参加する意思を示していない場合はステップ１２の買取処理へと進む。
【００３２】
ステップ１２の買取処理は前もって定めた価格で対象とする廃棄物を売買する処理で、例えば銀行口座への代金の振込みを促すなどの処理や、廃棄物を示すデータに販売済であることを示す信号を付加する処理を行う。
【００３３】
上記ステップ１１で各ユーザ端末１０からオークションに参加する意思を示す信号が送られて来た場合には、所謂ネットオークションの処理であるステップ１２とステップ１３の間をオークションの成立まで繰り返す。
【００３４】
つまり複数のユーザ端末１０から入札を受け付け、所定時間内に最高の価格をつけた端末を特定し、オークションを終了する。
【００３５】
この図３のオークション処理は図２の処理の終了後、連続的に入ることもできるし、あるいは図２の処理の終了したデータに対して行ってもよい。
【００３６】
以上の説明のとおり各顧客は、廃棄物の内容を示すデータを確認するとともに廃棄物が蓄積中であった場合には廃棄物の蓄積状態を写すカメラを操作することができ、廃棄物の内容を確認した上でその廃棄物を直接購入あるいはオークションを経て購入することができる。
【産業上の利用可能性】
【００３７】
本発明は、廃棄物の品質を顧客が確認した上で、購入あるいはオークションすることが可能となり、品質の保証が可能な廃棄物リサイクル方法を提供する。
【図面の簡単な説明】
【００３８】
【図１】本発明の廃棄物リサイクル方法の実施例を示すシステム図である。
【図２】本発明の廃棄物リサイクル方法に用いるホストサーバーの廃棄物確認動作示すフロー図である。
【図３】本発明の廃棄物リサイクル方法に用いるホストサーバーのオークション動作示すフロー図である。
【符号の説明】
【００３９】
１  ホストサーバー
２  ハブ
３  ルータ
４  インターネット網
５  ビデオカメラ
７  ベルトコンベア
８  廃棄物
９  山
１０  ユーザ端末
１１  ストレージ
【図１】
2006195760.tif 000003
【図２】
2006195760.tif 000004
【図３】
2006195760.tif 000005